(57)【要約】      （修正有）【課題】バスエプロンの高さを容易に位置決めすることができ、ばらつきが生じた場合でも水密性をより確実に確保できるバスエプロンの取付構造を提供する。【解決手段】フランジ部２０３を有する浴槽２００と、土手部を有する洗い場床部１１０と、上端がフランジ部２０３の裏面に当接した状態で位置決めされ、浴室ユニットの壁パネルに対して水密的に取り付けられたエプロン取付部材４００と、枠状に形成された第１の水密部材を介して水密的に取り付けられるバスエプロン３００と、を備え、エプロン取付部材４００は、上端部においてフランジ部２０３の裏面側に水密部材を介さずに当接され、下端部において土手部に弾性を有する第２の水密部材５１１を介して取り付けられ、第２の水密部材５１１は、フランジ部２０３と、土手部と、の間隔の誤差を吸収可能であることを特徴とするバスエプロンの取付構造。【選択図】図５
2010136805.tif 000002
【特許請求の範囲】
【請求項１】
湯水を貯留する内槽部と、前記内槽部の上端から外側に延在したフランジ部と、を有する浴槽と、
前記浴槽と隣接して配置され、前記浴槽側の縁辺に設けられた土手部を有する洗い場床部と、
前記浴槽と、前記洗い場床部と、の間に配置され、上端が前記フランジ部の裏面に当接した状態で位置決めされ、浴室ユニットの壁パネルに対して水密的に取り付けられたエプロン取付部材と、
前記エプロン取付部材によって支持されるとともに、前記エプロン取付部材と、前記フランジ部の裏面と、前記洗い場床部の土手部と、に対して枠状に形成された第１の水密部材を介して水密的に取り付けられ、前記浴槽と、前記洗い場床部と、の間に形成される開口を塞ぐバスエプロンと、
を備え、
前記エプロン取付部材は、上端部において前記フランジ部の裏面側に水密部材を介さずに当接され、下端部において前記土手部に弾性を有する第２の水密部材を介して取り付けられ、
前記第２の水密部材は、前記フランジ部と、前記土手部と、の間隔の誤差を吸収可能であることを特徴とするバスエプロンの取付構造。
【請求項２】
前記エプロン取付部材および前記バスエプロンのいずれか一方は、凹形状に形成された凹設部を有し、
前記エプロン取付部材および前記バスエプロンのいずれか他方は、凸形状に形成された凸設部を有し、
前記凹設部は、爪部を有する係合部と、前記係合部の鉛直方向の隙間よりも大きい隙間を有する止水部と、を有し、
前記第１の水密部材が付設された部分の凸設部が前記止水部に挿入され、前記第１の水密部材が付設されていない部分の凸設部が前記係合部に挿入されることにより、前記バスエプロンは、前記エプロン取付部材に支持されることを特徴とする請求項１記載のバスエプロンの取付構造。
【発明の詳細な説明】
【技術分野】
【０００１】
本発明の態様は、一般的に、バスエプロンの取付構造に関し、具体的には浴槽と洗い場との間に取り付けられるバスエプロンの取付構造に関する。
【背景技術】
【０００２】
ユニットバスの中には、浴槽と、防水床パンと、バスエプロンと、が別体として分割されたものがある。このようなユニットバスでは、一般的に、浴槽と、防水床パンと、バスエプロンと、が施工現場にそれぞれ分割された状態で搬入され、その施工現場にて組み立てられる。
【０００３】
特許文献１に記載されたエプロンの取付構造では、エプロン取付部材を浴槽のフランジ部の下面に当接させて位置決めし、エプロン取付部材の下部側部分に形成されたエプロン下部支持部にエプロンを係合することでエプロンを支持している。また、特許文献２に記載されたユニットバスでは、浴槽、防水床パン、および結合部材に対して、バスエプロンを水密的に取り付ける構造が開示されている。
【０００４】
しかしながら、特許文献１に記載されたエプロンの取付構造のように、エプロン取付部材を浴槽のフランジ部の下面に当接させて位置決めする構造では、エプロン取付部材の下端と防水床パンの土手部（堰部）との間には隙間が生じることとなる。このような状態で、特許文献２に記載されたユニットバスのように、バスエプロンを浴槽、防水床パン、およびエプロン取付部材（結合部材）に対して水密的に取り付けたとしても、エプロン取付部材の下端と防水床パンの土手部との間の隙間から洗い場側の水が入り込むおそれがある。エプロン取付部材やバスエプロンの下端は、洗い場側からの水の跳ね返りが多い部分であるため、水の侵入するおそれが高い部分である。
【０００５】
また、浴槽のフランジ部と防水床パンの土手部との鉛直方向の間隔ついては、施工誤差によりばらつきが生ずる場合があり、これに伴い、エプロン取付部材の下端と防水床パンの土手部との間の隙間についても、ばらつきが生ずる場合がある。
【特許文献１】特開２００８−１８３０７５号公報
【特許文献２】特開２００５−２９６３６０号公報
【発明の開示】
【発明が解決しようとする課題】
【０００６】
本発明の態様は、かかる課題の認識に基づいてなされたものであり、バスエプロンの高さを容易に位置決めすることができ、ばらつきが生じた場合でも水密性をより確実に確保できるバスエプロンの取付構造を提供することを目的とする。
【課題を解決するための手段】
【０００７】
本発明の一態様によれば、湯水を貯留する内槽部と、前記内槽部の上端から外側に延在したフランジ部と、を有する浴槽と、前記浴槽と隣接して配置され、前記浴槽側の縁辺に設けられた土手部を有する洗い場床部と、前記浴槽と、前記洗い場床部と、の間に配置され、上端が前記フランジ部の裏面に当接した状態で位置決めされ、浴室ユニットの壁パネルに対して水密的に取り付けられたエプロン取付部材と、前記エプロン取付部材によって支持されるとともに、前記エプロン取付部材と、前記フランジ部の裏面と、前記洗い場床部の土手部と、に対して枠状に形成された第１の水密部材を介して水密的に取り付けられ、前記浴槽と、前記洗い場床部と、の間に形成される開口を塞ぐバスエプロンと、を備え、前記エプロン取付部材は、上端部において前記フランジ部の裏面側に水密部材を介さずに当接され、下端部において前記土手部に弾性を有する第２の水密部材を介して取り付けられ、前記第２の水密部材は、前記フランジ部と、前記土手部と、の間隔の誤差を吸収可能であることを特徴とするバスエプロンの取付構造が提供される。
【発明の効果】
【０００８】
本発明の態様によれば、バスエプロンの高さを容易に位置決めすることができ、ばらつきが生じた場合でも水密性をより確実に確保できるバスエプロンの取付構造が提供される。
【発明を実施するための最良の形態】
【０００９】
第１の発明は、湯水を貯留する内槽部と、前記内槽部の上端から外側に延在したフランジ部と、を有する浴槽と、前記浴槽と隣接して配置され、前記浴槽側の縁辺に設けられた土手部を有する洗い場床部と、前記浴槽と、前記洗い場床部と、の間に配置され、上端が前記フランジ部の裏面に当接した状態で位置決めされ、浴室ユニットの壁パネルに対して水密的に取り付けられたエプロン取付部材と、前記エプロン取付部材によって支持されるとともに、前記エプロン取付部材と、前記フランジ部の裏面と、前記洗い場床部の土手部と、に対して枠状に形成された第１の水密部材を介して水密的に取り付けられ、前記浴槽と、前記洗い場床部と、の間に形成される開口を塞ぐバスエプロンと、を備え、前記エプロン取付部材は、上端部において前記フランジ部の裏面側に水密部材を介さずに当接され、下端部において前記土手部に弾性を有する第２の水密部材を介して取り付けられ、前記第２の水密部材は、前記フランジ部と、前記土手部と、の間隔の誤差を吸収可能であることを特徴とするバスエプロンの取付構造である。
【００１０】
このバスエプロンの取付構造によれば、エプロン取付部材は、その上端部とフランジ部の裏面側とが水密部材などを介さずに当接することにより、浴槽の上下方向に対して位置決めされる。そして、バスエプロンは、その下端部がエプロン取付部材に水密部材を介して取り付けられることにより、エプロン取付部材の上下方向に対して位置決めされる。その結果として、バスエプロンは、浴槽の上下方向に対して位置決めされる。そのため、バスエプロンの高さを容易に位置決めすることができ、さらに、施工誤差や寸法誤差などによりばらつきが生じた場合であっても、第１の水密部材により、水密性がより確実に確保される。
【００１１】
また、第２の発明は、第１の発明において、前記エプロン取付部材および前記バスエプロンのいずれか一方は、凹形状に形成された凹設部を有し、前記エプロン取付部材および前記バスエプロンのいずれか他方は、凸形状に形成された凸設部を有し、前記凹設部は、爪部を有する係合部と、前記係合部の鉛直方向の隙間よりも大きい隙間を有する止水部と、を有し、前記第１の水密部材が付設された部分の凸設部が前記止水部に挿入され、前記第１の水密部材が付設されていない部分の凸設部が前記係合部に挿入されることにより、前記バスエプロンは、前記エプロン取付部材に支持されることを特徴とするバスエプロンの取付構造である。
【００１２】
このバスエプロンの取付構造によれば、水密部材により水密性が確保される部分と、爪部により係合される部分と、を分けることができる。そして、水密性を確保する部分と、係合する部分と、を分けることにより、水密性および係合性をより確実に確保することができる。
【００１３】
以下、本発明の実施の形態について図面を参照しつつ説明する。なお、各図面中、同様の構成要素には同一の符号を付して詳細な説明は適宜省略する。  
図１は、本発明の第１の実施の形態にかかる浴室ユニットを例示する斜視模式図である。
【００１４】
図１に表した浴室ユニット（ユニットバス）は、床パン１００と、浴槽２００と、バスエプロン３００と、壁パネル１０ａ、１０ｂ、１０ｃ、１０ｄと、を備える。なお、壁パネル１０ａ、１０ｂ、１０ｄのいずれかには、図示しないドアが設けられている。また、壁パネル１０ａ、１０ｂ、１０ｄの少なくともいずれかには、図示しない窓がさらに設けられていてもよい。
【００１５】
床パン１００は、下部に支持脚１９０を有し、図示しない建築床の上に載置されている。また、床パン１００は、洗い場床部１１０と、浴槽載置部１２０と、を有する。使用者は、洗い場床部１１０上で身体など洗うことができる。一方、浴槽２００は、浴槽載置部１２０に載置され、床パン１００に適宜固定されている。但し、浴槽載置部１２０は、必ずしも設けられていなくともよい。この場合には、浴槽２００は、図示しない建築床の上に載置される。そして、洗い場床部１１０が、すなわち床パン１００となる。
【００１６】
バスエプロン３００は、浴槽２００の側面を覆い隠すように、浴槽２００と洗い場床部１１０との間に取り付けられている。つまり、バスエプロン３００は、浴槽２００と洗い場床部１１０との間に形成される開口を塞ぐように取り付けられている。なお、壁パネル１０ａ、１０ｂ、１０ｄは、床パン１００の周縁に設けられた図示しない壁載置部に載置され適宜固定されている。
【００１７】
図２は、本実施形態のエプロン取付部材が取り付けられた状態を表す斜視模式図である。  
また、図３は、本実施形態のエプロン取付部材が取り付けられた状態を表す断面模式図である。  
なお、図３（ａ）は、図２に表したＡ−Ａ断面図において、エプロン取付部材の上端を表す断面模式図であり、図３（ｂ）は、図２に表したＡ−Ａ断面図において、エプロン取付部材の下端を表す断面模式図である。
【００１８】
本実施形態の浴槽２００は、湯水を貯留する内槽部２０１（図１参照）と、内槽部２０１の上端から外側に延在したフランジ部２０３（図１参照）と、を有する。また、洗い場床部１１０は、浴槽２００と隣接して配置され、浴槽２００側の縁辺に土手部１１１を有する。図１に表した床パン１００のように、洗い場床部１１０に隣接して浴槽載置部１２０が設けられている場合には、土手部１１１は、洗い場床部１１０と浴槽載置部１２０との隣接辺に設けられる。土手部１１１の浴槽２００側の外縁部には、上方に突出した立ち上がり部１１３を有する。
【００１９】
浴槽２００と、洗い場床部１１０と、の間には、図２に表したように、バスエプロン３００を取り付けるエプロン取付部材４００が設けられている。より具体的には、エプロン取付部材４００は、浴槽２００のフランジ部２０３と、洗い場床部１１０の土手部１１１と、の間に設けられている。そして、エプロン取付部材４００は、ねじなどの固定部材５０１により、壁パネル１０ｂに固定されている。
【００２０】
エプロン取付部材４００は、まず、図３（ａ）に表したように、その上面（上端部）４０３と、フランジ部２０３の裏面側に設けられた突起部２０５と、が当接するように取り付けられる。これにより、エプロン取付部材４００は、浴槽２００の上下方向（鉛直方向）に対して位置決めされる。また、エプロン取付部材４００は、その上面４０３に離間した２つの突起部４０１を有する。そして、フランジ部２０３の突起部２０５は、エプロン取付部材４００の２つの突起部４０１の間に挿入されている。これにより、エプロン取付部材４００は、その上端部において、浴槽２００の水平方向に対して略位置決めされる。なお、エプロン取付部材４００の突起部４０１と、フランジ部２０３の突起部２０５と、は必ずしも設けられていなくともよく、エプロン取付部材４００は、その上面４０３と、フランジ部２０３の裏面と、が当接するように取り付けられていてもよい。
【００２１】
次に、エプロン取付部材４００は、図３（ｂ）に表したように、その下部に溝部４０５を有する。そして、エプロン取付部材４００は、土手部１１１の立ち上がり部１１３が溝部４０５に挿入されるように取り付けられる。これにより、エプロン取付部材４００は、その下端部において、洗い場床部１１０の水平方向に対して略位置決めされる。
【００２２】
このとき、エプロン取付部材４００の下面（下端部）４０７と、土手部１１１の上面１１１ａと、の間には、隙間が存在する。つまり、エプロン取付部材４００の下面４０７と、土手部１１１の上面１１１ａと、は当接せずに離間している。ここで、本実施形態のエプロン取付部材４００の下面４０７には、弾性を有する水密部材（第２の水密部材）５１１が付設されている。水密部材５１１は、例えば、弾性を有するゴムやスポンジなどから形成されるパッキンなどである。
【００２３】
水密部材５１１は、弾性を有するため上下方向に伸縮できる。そのため、水密部材５１１は、洗い場床部１１０とエプロン取付部材４００との間の水密性を確保しつつ、エプロン取付部材４００の下面４０７と、土手部１１１の上面１１１ａと、の間の隙間を埋めることができる。このとき、水密部材５１１は、上方向に、すなわちエプロン取付部材４００を押し上げる方向に力を及ぼしているため、エプロン取付部材４００の上面４０３と、フランジ部２０３の突起部２０５と、は当接したままの状態となる。そして、エプロン取付部材４００は、ねじなどの固定部材５０１により、壁パネル１０ｂに固定される。
【００２４】
これにより、エプロン取付部材４００は、浴槽２００の上下方向に対して位置決めされた状態で固定される。また、水密部材５１１は、弾性を有するため、洗い場床部１１０および浴槽２００の（土手部１１１とフランジ部２０３の）上下方向（鉛直方向）の施工誤差や寸法誤差（製造誤差）などを吸収することができる。さらに、エプロン取付部材４００と、洗い場床部１１０と、の間では、水密部材５１１により水密性が確保されている。
【００２５】
エプロン取付部材４００と、壁パネル１０ｂと、の間には、水密部材５１１と同様の水密部材５１２（図３）が介在している。つまり、エプロン取付部材４００は、水密部材５１２を介して壁パネル１０ｂに固定されている。これにより、エプロン取付部材４００と、壁パネル１０ｂと、の間では、水密部材５１２により水密性が確保されている。
【００２６】
なお、水密部材５１１は、エプロン取付部材４００の下面４０７に付設されている場合を例に挙げて説明したが、これだけに限定されず、土手部１１１の上面１１１ａに付設されていてもよい。また、図２および図３においては、壁パネル１０ｂ側に取り付けられるエプロン取付部材４００について説明したが、壁パネル１０ｄ側にもエプロン取付部材６００（図４参照）が取り付けられる。つまり、浴槽２００と、洗い場床部１１０と、の間には、エプロン取付部材４００、６００が土手部１１１の両端部にそれぞれ１つずつ取り付けられる。この場合、壁パネル１０ｄ側に取り付けられるエプロン取付部材６００と、壁パネル１０ｂ側に取り付けられるエプロン取付部材４００と、は土手部１１１の長手方向に対して垂直な平面に関して対称形状を有する。
【００２７】
図４は、本実施形態のバスエプロンを取り付ける状態を表す斜視模式図である。  
また、図５は、本実施形態のバスエプロンが取り付けられた状態を表す断面模式図である。  
また、図６は、本実施形態のバスエプロンが取り付けられた状態を拡大して眺めた断面模式図である。  
なお、図６（ａ）は、図５に表した領域Ｂを拡大して眺めた拡大模式図であり、図６（ｂ）は、図５に表した領域Ｃを拡大して眺めた拡大模式図である。
【００２８】
バスエプロン３００を取り付ける際には、まず、図４に表した矢印Ｄのように、バスエプロン３００の上端部を浴槽２００のフランジ部２０３の裏面側に下から挿入する。続いて、図４に表した矢印Ｅのように、バスエプロン３００の下端部を浴槽２００側に押す。つまり、いわゆる「けんどん式」などと呼ばれる扉のようにして、バスエプロン３００をエプロン取付部材４００に取り付けることができる。
【００２９】
図５および図６を参照しつつ、さらに詳細に説明すると、浴槽２００は、フランジ部２０３の裏面側に溝部２０７を有する。その溝部２０７には、図６（ａ）に表したように、所定間隔においてリブ２１１が設けられている。一方、バスエプロン３００は、上端部に突起部３０１、３０３を有する。この突起部３０１、３０３には、水密部材（第１の水密部材）５１３、５１４がそれぞれ付設されている。そして、水密部材５１３、５１４がそれぞれ付設された突起部３０１、３０３は、図６（ａ）に表したように、溝部２０７に挿入される。
【００３０】
また、バスエプロン３００は、下端部に凸設部３０９を有する。この凸設部３０９には、水密部材（第１の水密部材）５１５が付設されている。水密部材５１５は、バスエプロン３００の下部から上部にかけて付設されている。一方、エプロン取付部材４００は、下端部に凹設部４０９（図３参照）を有する。そして、バスエプロン３００の凸設部３０９は、エプロン取付部材４００の凹設部４０９に挿入される。このようにして、バスエプロン３００は、エプロン取付部材４００に取り付けられる。なお、水密部材５１３、５１４、５１５は、水密部材５１１と同様に、例えば、弾性を有するゴムやスポンジなどから形成されるパッキンなどである。
【００３１】
このとき、水密部材５１５を含めた凸設部３０９の上下方向の厚さは、エプロン取付部材４００の凹設部４０９の上下方向の隙間よりも大きい、あるいは略同じである。そのため、凸設部３０９が凹設部４０９に挿入されると、水密部材５１５は、圧縮されつつ凹設部４０９に挿入される。つまり、水密部材５１５を含めた凸設部３０９は、凹設部４０９に嵌合され固定される。そのため、バスエプロン３００は、エプロン取付部材４００の上下方向に対して位置決めされる。さらに、バスエプロン３００と、エプロン取付部材４００と、の間では、水密部材５１５により水密性が確保されている。
【００３２】
ここで、バスエプロン３００は、上部にグリップ部３０５を有する。このグリップ部３０５は、凹形状に形成されている。そのため、使用者はグリップ部３０５に指を入れて浴槽２００のフランジ部２０３を掴むことで、楽に内槽部２０１に入ったり、内槽部２０１から出ることができる。したがって、フランジ部２０３の下面２０９と、グリップ部３０５の上端３０７と、の上下方向の位置は略同じであることが好ましい。これは、フランジ部２０３の下面２０９と、グリップ部３０５の上端３０７と、の上下方向の位置が同じである場合には、使用者はグリップ部３０５に指を入れやすく、すなわちフランジ部２０３を掴みやすくなるためである。また、フランジ部２０３の下面２０９と、グリップ部３０５の上端３０７と、の上下方向の位置が同じである場合には、意匠性を向上させることもできる。
【００３３】
また、バスエプロン３００が取り付けられた状態では、突起部３０１に付設された水密部材５１３は、フランジ部２０３の裏面側に設けられたリブ２１１に当接している。これにより、水密部材５１３は、各部材の施工誤差や寸法誤差などを吸収することができる。さらに、バスエプロン３００が取り付けられた状態では、突起部３０１に付設された水密部材５１３は、フランジ部２０３の前面部２１３に当接している。これと同様に、バスエプロン３００が取り付けられた状態では、突起部３０３に付設された水密部材５１４は、フランジ部２０３の裏面側に設けられた突起部２０５に当接している。これにより、バスエプロン３００と、浴槽２００と、の間では、水密部材５１３、５１４により水密性が確保されている。さらに、その水密部材５１３、５１４は、各部材の施工誤差や寸法誤差などを吸収することができる。
【００３４】
本実施形態によれば、エプロン取付部材４００は、浴槽２００の上下方向に対して位置決めされる。そして、バスエプロン３００は、そのエプロン取付部材４００の上下方向に対して位置決めされる。その結果として、バスエプロン３００は、浴槽２００の上下方向に対して位置決めされる。そのため、本実施形態のバスエプロンの取付構造によれば、フランジ部２０３の下面２０９と、グリップ部３０５の上端３０７と、の上下方向の位置が略同じとなる。したがって、バスエプロン３００の高さを容易に位置決めすることができる。さらに、エプロン取付部材４００と、洗い場床部１１０および壁パネル１０ｂ、１０ｄおよびバスエプロン３００と、の間、並びにバスエプロン３００と、浴槽２００と、の間において、水密性がより確実に確保されている。
【００３５】
図７は、本実施形態のエプロン取付部材およびバスエプロンの下端部を表す斜視模式図である。  
なお、図７（ａ）は、エプロン取付部材の下端部を表す斜視模式図であり、図７（ｂ）は、バスエプロンの下端部を表す斜視模式図である。また、図７（ａ）については、説明の便宜上、一部を想像線（二点鎖線）で表している。
【００３６】
エプロン取付部材４００は、図４〜図６に関して前述したように、バスエプロン３００の凸設部３０９が挿入される凹設部４０９を有する。この凹設部４０９は、図７（ａ）に表したように、係合部４０９ａと、止水部４０９ｂと、を有する。係合部４０９ａの下面は、止水部４０９ｂの下面よりも一段上に設けられている。すなわち、係合部４０９ａの上下方向の隙間は、止水部４０９ｂの上下方向の隙間よりも小さい。また、係合部４０９ａの上面には、爪部４０９ｃが設けられている。
【００３７】
一方、バスエプロン３００の凸設部３０９の先端には、図７（ｂ）に表したように、爪部３０９ａが設けられている。また、バスエプロン３００の凸設部３０９においては、水密部材５１５は、バスエプロン３００の端面３１１から離間した位置に付設されている。そのため、バスエプロン３００の凸設部３０９がエプロン取付部材４００の凹設部４０９に挿入された際には、水密部材５１５は、圧縮されつつ止水部４０９ｂに挿入され、水密部材５１５が付設されていない爪部３０９ａの部分は、係合部４０９ａに挿入される。そして、凸設部３０９の爪部３０９ａと、係合部４０９ａの爪部４０９ｃと、は係合される。
【００３８】
つまり、バスエプロン３００の凸設部３０９がエプロン取付部材４００の凹設部４０９に挿入された際には、水密部材５１５により水密性が確保される部分と、爪部３０９ａと爪部４０９ｃとにより係合される部分と、は分かれている。このように、水密性を確保する部分と、係合する部分と、を分けることにより、水密性および係合性をより確実に確保することができる。但し、止水性や水密性を確保する部分と、係合する部分と、を必ずしも分ける必要はなく、水密部材５１５を端面３１１から離間させずに付設し、その水密部材５１５を付設した爪部３０９ａの部分が、凹設部４０９の係合部４０９ａに挿入され爪部４０９ｃに係合されてもよい。
【００３９】
図８は、本実施形態のエプロン取付部材およびバスエプロンにおいて水密性が確保される部分を表す平面模式図である。  
なお、図８は、洗い場床部１１０側からバスエプロン３００を平面視した状態を表す平面模式図である。
【００４０】
図８に表したように、バスエプロン３００と浴槽２００（フランジ部２０３の裏面）との間では、水密部材（第１の水密部材）５１３、５１４により水密性が確保されている。また、エプロン取付部材４００、６００と壁パネル１０ｂ、１０ｄとの間では、水密部材５１２により水密性がそれぞれ確保されている。また、エプロン取付部材４００、６００とバスエプロン３００との間では、水密部材（第１の水密部材）５１５により水密性がそれぞれ確保されている。また、エプロン取付部材４００、６００と洗い場床部１１０との間では、水密部材（第２の水密部材）５１１により水密性がそれぞれ確保されている。また、バスエプロン３００の下端部には、水密部材（第１の水密部材）５１６が付設されており、この水密部材５１６により、バスエプロン３００と洗い場床部１１０（土手部１１１）との間における水密性が確保されている。
【００４１】
つまり、水密部材５１３、５１４、５１５、５１６は、バスエプロン３００の周縁部に枠状に形成されている。そして、バスエプロン３００は、水密部材５１３、５１４、５１５、５１６により、エプロン取付部材４００、６００と、フランジ部２０３の裏面と、洗い場床部１１０の土手部１１１と、に対して水密的に取り付けられている。なお、本願明細書において「枠状」とは、１つの水密部材が連続して枠状を形成した状態だけではなく、複数の水密部材が水密性を確保可能な限り隣接して枠状を形成した状態も含まれるものとする。
【００４２】
このように、本実施形態では、水密部材５１１、５１２、５１３、５１４、５１５、５１６により、水密性がより確実に確保され、浴槽２００と浴槽載置部１２０との間、あるいは建築構造物などに水が漏れることを防止できる。なお、本願明細書において「水」という場合には、冷水のみならず、加熱されたお湯も含むものとする。
【００４３】
図９は、洗い場床部の土手部の長手方向における中央部近傍を拡大して眺めた拡大模式図である。  
また、図１０は、洗い場床部の土手部の長手方向における中央部近傍の断面を表す断面模式図である。  
なお、図１０は、図９に表したＦ−Ｆ断面図に相当する。
【００４４】
図９に表したように、洗い場床部１１０の土手部１１１の長手方向における中央部には、センタ部材４２０が取り付けられる。センタ部材４２０は、図１０に表したように、溝部４２５を有し、下端部には爪部４２６を有する。そして、センタ部材４２０は、土手部１１１の立ち上がり部１１３が溝部４２５に挿入されるように取り付けられる。また、センタ部材４２０は、下端部の爪部４２６が土手部１１１の下面に引っ掛かることにより洗い場床部１１０に固定される。
【００４５】
また、センタ部材４２０は、エプロン取付部材４００と同様に、凹設部４２９を有する。その凹設部４２９の上部には、エプロン取付部材４００の係合部４０９ａと同様に、爪部４２９ｃが設けられている。そして、バスエプロン３００がエプロン取付部材４００のに取り付けられる場合には、バスエプロン３００の凸設部３０９は、センタ部材４２０の凹設部４２９にも挿入される。このとき、凸設部３０９の爪部３０９ａと、凹設部４２９の爪部４２９ｃと、は係合される。
【００４６】
なお、センタ部材４２０の下面４２７には、水密部材５１１が付設されている。これにより、バスエプロン３００を取付ける際の洗い場床部１１０および浴槽２００の（土手部１１１とフランジ部２０３の）間隔の施工誤差や寸法誤差などを吸収することができる。さらに、センタ部材４２０と、洗い場床部１１０と、の間では、水密部材５１１により水密性が確保されている。
【００４７】
このようにして、バスエプロン３００は、土手部１１１の長手方向における中央部においても、センタ部材４２０により係合されている。これにより、バスエプロン３００は、その中央部において撓むことなく、エプロン取付部材４００およびセンタ部材４２０により浴槽２００と洗い場床部１１０との間に取り付けられる。なお、センタ部材４２０は、土手部１１１の長手方向における中央部には、１つのセンタ部材４２０だけではなく、２つ以上の複数個のセンタ部材４２０が取り付けられていてもよい。これによれば、バスエプロン３００が長手方向における中央部近傍で撓むことをより確実に防止することができる。
【００４８】
以上説明したように、本実施形態によれば、エプロン取付部材４００は、その上面４０３とフランジ部２０３の突起部２０５とが水密部材などを介さずに当接することにより、浴槽２００の上下方向に対して位置決めされる。そして、バスエプロン３００は、その凸設部３０９がエプロン取付部材４００の凹設部４０９に水密部材５１５を介して取り付けられることにより、エプロン取付部材４００の上下方向に対して位置決めされる。その結果として、バスエプロン３００は、浴槽２００の上下方向に対して位置決めされる。そのため、本実施形態のバスエプロンの取付構造によれば、フランジ部２０３の下面２０９と、グリップ部３０５の上端３０７と、の上下方向の位置が略同じとなり、バスエプロン３００の高さを容易に位置決めすることができる。さらに、水密部材５１１、５１２、５１３、５１４、５１５、５１６により、水密性がより確実に確保される。
【００４９】
次に、本発明の第２の実施の形態について説明する。  
図１１は、本発明の第２の実施の形態にかかる浴室ユニットを例示する斜視模式図である。  
本実施形態の浴室ユニット（ユニットバス）には、カウンター２０が設けられている。このカウンター２０は、例えば壁パネル１０ｂなどに付設されており、使用者は、洗面器などをこのカウンター２０に載置できる。これに伴い、浴槽２００と洗い場床部１１０との間には、小型バスエプロン３５０と、バスエプロン３７０と、が取り付けられている。つまり、図１に表したバスエプロン３００が２つに分割されている。
【００５０】
そのため、例えば、作業者が浴槽２００の側面やその近傍などを点検する場合には、バスエプロン３７０を取り外すことにより点検できる。この場合には、小型バスエプロン３５０は、浴槽２００と洗い場床部１１０との間に取り付けられたままである。つまり、カウンター２０がユニットバスに設けられた場合であっても、作業者などは、カウンター２０から邪魔されることなくバスエプロン３７０を取り外して点検することができる。
【００５１】
なお、小型バスエプロン３５０は、切り欠き部３５１を有している。この切り欠き部３５１には、例えば水を導水する配管などを通すことができる。そして、その配管の一端は、カウンター２０に設けられた図示しない水栓などに接続されている。これにより、配管を導水された水は、カウンター２０に設けられた図示しない水栓から吐水される。また、バスエプロン３７０の構造は、図１〜図１０に関して前述したバスエプロン３００の構造と同様である。
【００５２】
図１２は、本実施形態のエプロン取付部材が取り付けられた状態を表す斜視模式図である。  
また、図１３は、本実施形態の固定レールを取り付ける状態を表す斜視模式図である。  また、図１４は、本実施形態の小型バスエプロンが取り付けられた状態を表す斜視模式図である。
【００５３】
まず、壁パネル１０ｂに隣接した側の土手部１１１の端部には、固定レール４４０が取り付けられる。固定レール４４０は、図１３に表したように、下方に開口した溝部４４１を有する。そして、固定レール４４０は、図１３に表した矢印Ｇのように、土手部１１１の立ち上がり部１１３が溝部４４１に挿入されるように取り付けられる。また、固定レール４４０は、土手部１１１に取り付けられた状態において、洗い場床部１１０側に上方に開口した溝部４４３を有する。この溝部４４３には、後述する調整駒３５３（図１４参照）の下端部が挿入される。
【００５４】
続いて、壁パネル１０ｄに隣接した側のフランジ部２０３および土手部１１１の端部には、エプロン取付部材６００が取り付けられる。浴槽２００のフランジ部２０３と、洗い場床部１１０の土手部１１１と、の間におけるエプロン取付部材６００の取付構造については、図２および図３に関して前述したエプロン取付部材４００の取付構造と同様である。また、洗い場床部１１０の土手部１１１の長手方向における中央部には、センタ部材４２０が取り付けられる。このセンタ部材４２０の取付構造については、図９に関して前述したセンタ部材４２０の取付構造と同様である。
【００５５】
続いて、図１４に表した矢印Ｈのように、小型バスエプロン３５０を壁パネル１０ｂに当接するように移動（スライド）させる。このとき、小型バスエプロン３５０に設けられた調整駒３５３の下端部は、固定レール４４０の溝部４４３内を滑るように移動する。そして、作業者などは、調整駒３５３を回動させることにより、浴槽２００の上下方向に対する位置を調整することができる。
【００５６】
図１５は、本実施形態の小型バスエプロンを表す平面模式図である。  
なお、図１５（ａ）は、洗い場床部１１０側から小型バスエプロン３５０を平面視した状態を表す正面模式図であり、図１５（ｂ）は、壁パネル１０ｄ側から小型バスエプロン３５０を平面視した状態を表す側面模式図である。
【００５７】
小型バスエプロン３５０は、図１５（ａ）に表したように、バスエプロン３７０が取り付けられる側の端部にエプロン取付部３６１を有する。エプロン取付部３６１は、図２、図３、および図７に関して前述したエプロン取付部材４００と同様に、その下端部に凹設部３６９を有する。つまり、小型バスエプロン３５０は、図１〜図１０に関して前述したバスエプロン３００とエプロン取付部材４００とが一体化されたような構造を有し、エプロン取付部３６１は、エプロン取付部材４００と同様の機能を有する。
【００５８】
より具体的には、エプロン取付部３６１の凹設部３６９は、図１５（ａ）に表したように、係合部３６９ａと、止水部３６９ｂと、を有する。係合部３６９ａの下面は、止水部３６９ｂの下面よりも一段上に設けられている。すなわち、係合部３６９ａの上下方向の隙間は、止水部３６９ｂの上下方向の隙間よりも小さい。また、係合部３６９ａの上面には、爪部３６９ｃが設けられている。そして、小型バスエプロン３５０は、エプロン取付部３６１の上面３６３と、浴槽２００のフランジ部２０３の裏面側に設けられた突起部２０５と、が当接するように調整駒３５３により調整される。
【００５９】
ここで、エプロン取付部３６１の上面３６３には、水密部材などは付設されていないため、小型バスエプロン３５０は、エプロン取付部３６１の上面３６３がフランジ部２０３の突起部２０５に当接することにより、浴槽２００の上下方向に対して位置決めされる。これにより、フランジ部２０３の下面２０９と、グリップ部３５５の上端３５７と、の上下方向の位置が略同じとなる。
【００６０】
また、小型バスエプロン３５０の上端部には、水密部材５３３が付設されている。これにより、小型バスエプロン３５０と、浴槽２００と、の間における水密性が確保されている。また、小型バスエプロン３５０の下端部には、水密部材５３６が付設されている。これにより、小型バスエプロン３５０と、洗い場床部１１０と、の間における水密性が確保されている。さらに、小型バスエプロン３５０の壁パネル１０ｂ側の端部には、水密部材５３２が付設されている。これにより、小型バスエプロン３５０と、壁パネル１０ｂと、の間における水密性が確保されている。
【００６１】
図１６は、本実施形態のバスエプロンを取り付ける状態を表す斜視模式図である。  
バスエプロン３７０を取り付ける場合には、図４に表したバスエプロン３００と同様に、いわゆる「けんどん式」などと呼ばれる扉のようにして、バスエプロン３７０をエプロン取付部材６００と、小型バスエプロン３５０のエプロン取付部３６１と、に取り付けることができる。
【００６２】
より具体的には、本実施形態のバスエプロン３７０は、下端部に凸設部３７９を有する。この凸設部３７９の先端には、図７（ｂ）に表した爪部３０９ａと同様の爪部が設けられている。そして、バスエプロン３７０は、図７に関して前述した取付構造と同様に、エプロン取付部３６１の止水部３６９ｂにおいて水密性が確保されるとともに、エプロン取付部３６１の係合部３６９ａにおいて係合され取り付けられる。但し、本実施形態においても、止水性や水密性を確保する部分と、係合する部分と、を必ずしも分ける必要はない。
【００６３】
また、バスエプロン３７０は、図７に関して前述した取付構造と同様に、エプロン取付部材６００にも取り付けられる。その他の構造および取付構造については、図１〜図１０に関して前述した構造および取付構造と同様である。
【００６４】
以上説明したように、本実施形態によれば、小型バスエプロン３５０のエプロン取付部３６１は、その上面３６３とフランジ部２０３の突起部２０５とが水密部材などを介さずに当接することにより、浴槽２００の上下方向に対して位置決めされる。これと同様に、エプロン取付部材６００は、その上面とフランジ部２０３の突起部２０５とが水密部材などを介さずに当接することにより、浴槽２００の上下方向に対して位置決めされる。そして、バスエプロン３７０は、その凸設部３７９がエプロン取付部３６１の凹設部３６９およびエプロン取付部材６００の凹設部６０９に水密部材を介して係合されることにより、エプロン取付部３６１およびエプロン取付部材６００の上下方向に対して位置決めされる。その結果として、バスエプロン３７０は、浴槽２００の上下方向に対して位置決めされる。そのため、本実施形態のバスエプロンの取付構造によれば、カウンター２０が設けられた浴室ユニットにおいても、バスエプロン３７０の高さを容易に位置決めすることができ、水密性をより確実に確保できる。
【００６５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、床パン１００などが備える各要素の形状、寸法、材質、配置などやセンタ部材４２０の設置形態などは、例示したものに限定されるわけではなく適宜変更することができる。すなわち、前述したように、床パン１００は、浴槽載置部１２０を有していなくともよい。この場合であっても、洗い場床部１１０の浴槽２００側の縁辺には、土手部１１１が設けられ、エプロン取付部材４００、６００をその土手部１１１に取り付けることができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００６６】
【図１】本発明の第１の実施の形態にかかる浴室ユニットを例示する斜視模式図である。
【図２】本実施形態のエプロン取付部材が取り付けられた状態を表す斜視模式図である。
【図３】本実施形態のエプロン取付部材が取り付けられた状態を表す断面模式図である。
【図４】本実施形態のバスエプロンを取り付ける状態を表す斜視模式図である。
【図５】本実施形態のバスエプロンが取り付けられた状態を表す断面模式図である。
【図６】本実施形態のバスエプロンが取り付けられた状態を拡大して眺めた断面模式図である。
【図７】本実施形態のエプロン取付部材およびバスエプロンの下端部を表す斜視模式図である。
【図８】本実施形態のエプロン取付部材およびバスエプロンにおいて水密性が確保される部分を表す平面模式図である。
【図９】洗い場床部の土手部の長手方向における中央部近傍を拡大して眺めた拡大模式図である。
【図１０】洗い場床部の土手部の長手方向における中央部近傍の断面を表す断面模式図である。
【図１１】本発明の第２の実施の形態にかかる浴室ユニットを例示する斜視模式図である。
【図１２】本実施形態のエプロン取付部材が取り付けられた状態を表す斜視模式図である。
【図１３】本実施形態の固定レールを取り付ける状態を表す斜視模式図である。
【図１４】本実施形態の小型バスエプロンが取り付けられた状態を表す斜視模式図である。
【図１５】本実施形態の小型バスエプロンを表す平面模式図である。
【図１６】本実施形態のバスエプロンを取り付ける状態を表す斜視模式図である。
【符号の説明】
【００６７】
１０ａ、１０ｂ、１０ｃ、１０ｄ 壁パネル、  ２０ カウンター、  １００ 床パン、  １１０ 洗い場床部、  １１１ 土手部、  １１１ａ 上面、  １１３ 立ち上がり部、  １２０ 浴槽載置部、  １９０ 支持脚、  ２００ 浴槽、  ２０１ 内槽部、  ２０３ フランジ部、  ２０５ 突起部、  ２０７ 溝部、  ２０９ 下面、  ２１１ リブ、  ２１３ 前面部、  ３００ バスエプロン、  ３０１、３０３ 突起部、  ３０５ グリップ部、  ３０７ 上端、  ３０９ 凸設部、  ３０９ａ 爪部、  ３１１ 端面、  ３５０ 小型バスエプロン、  ３５１ 切り欠き部、  ３５３ 調整駒、  ３５５ グリップ部、  ３５７ 上端、  ３６１ エプロン取付部、  ３６３ 上面、  ３６９ 凹設部、  ３６９ａ 係合部、  ３６９ｂ 止水部、  ３６９ｃ 爪部、  ３７０ バスエプロン、  ３７９ 凸設部、  ４００ エプロン取付部材、  ４０１ 突起部、  ４０３ 上面、  ４０５ 溝部、  ４０７ 下面、  ４０９ 凹設部、  ４０９ａ 係合部、  ４０９ｂ 止水部、  ４０９ｃ 爪部、  ４２０ センタ部材、  ４２５ 溝部、  ４２６ 爪部、  ４２７ 下面、  ４２９ 凹設部、  ４２９ｃ 爪部、  ４４０ 固定レール、  ４４１、４４３ 溝部、  ５０１ 固定部材、  ５１１、５１２、５１３、５１４、５１５、５１６、５３２、５３３、５３６ 水密部材、  ６００ エプロン取付部材、  ６０９ 凹設部
【図１】
2010136805.tif 000003
【図２】
2010136805.tif 000004
【図３】
2010136805.tif 000005
【図４】
2010136805.tif 000006
【図５】
2010136805.tif 000007
【図６】
2010136805.tif 000008
【図７】
2010136805.tif 000009
【図８】
2010136805.tif 000010
【図９】
2010136805.tif 000011
【図１０】
2010136805.tif 000012
【図１１】
2010136805.tif 000013
【図１２】
2010136805.tif 000014
【図１３】
2010136805.tif 000015
【図１４】
2010136805.tif 000016
【図１５】
2010136805.tif 000017
【図１６】
2010136805.tif 000018